(57)【要約】      （修正有）【課題】勾配が異なる複数の法面に自由に設置することができると共に、路肩と法面との間および左右の延長方向に敷設されるパネル間にも雑草が生える恐れのない路肩用防草パネルを提供する。【解決手段】路肩Ａの地盤面Ｂに設置するアンカー取付け部２と、法面Ｃに設置する前記アンカー取付け部と一体の傾斜面からなる斜面被覆部３とで構成した防草パネル１であって、前記アンカー取付け部の先端部に上下面に貫通した逆テーパーのアンカー孔４を穿設すると共に、前記防草パネルの左右側端部にこの防草パネルと連結するための相欠け継ぎ構造の連結部を形成した。【選択図】図５
0003165624.tif 000002
【実用新案登録請求の範囲】
【請求項１】
路肩の水平な地盤面の一端部に設置する水平面からなるアンカー取付け部と、路肩の法面に設置する前記アンカー取付け部と一体の傾斜面からなる斜面被覆部とで構成した防草パネルであって、前記アンカー取付け部の先端部に上面から下面に貫通した逆テーパーのアンカー孔を穿設するとゝもに、前記防草パネルの左右側端部にこの防草パネルと連結するための相欠け継ぎ構造の連結部を、前記斜面被覆部の上面に凹部をそれぞれ形成したことを特徴とする路肩用防草パネル。
【請求項２】
前記アンカー孔の逆テーパー角度が法面の１割勾配から３割勾配に対応する値としたものであって、法面が１割５分勾配の場合に前記水平面からなるアンカー取付け部が前記水平な地盤面と平行となるように構成したことを特徴とする請求項１記載の路肩用防草パネル。
【請求項３】
前記アンカー取付け部の先端部に穿設したアンカー孔の上面側の孔周縁に、半円又は皿型の凹部を形成したことを特徴とする請求項１又は２記載の路肩用防草パネル。
【請求項４】
請求項１又は２記載の路肩用防草パネルを路肩の水平な地盤面の一端部および法面にそれぞれ配設するとゝもに、該防草パネルの前記アンカー取付け部の先端部上面に、路肩の水平な地盤面を被覆する保護パネルをその一端部で重ね合わせて配設し、該保護パネルの一端部に形成したアンカー孔と前記防草パネルのアンカー孔との共通孔内にアンカーを路肩の水平な地盤面に対しほゞ垂直に打ち込んで設置するとゝもに、前記防草パネルのアンカー取付け部と保護パネルとの空隙部に自硬性充填材を注入してなる構成としたことを特徴とする路肩部の保護構造。
【請求項５】
請求項１，２又は３に記載の路肩用防草パネルを路肩の水平な地盤面の一端部および法面にそれぞれ配設するとゝもに、該防草パネルの前記アンカー孔の上面側の孔周縁に形成した半円又は皿型の凹部と、路肩の水平な地盤面を被覆する保護パネルとをそのアンカー孔の下面側の孔周縁に形成した半円又は皿形の凸部とを嵌め合わせて配設するとゝもに、該保護パネルのアンカー孔と前記防草パネルのアンカー孔との共通孔内にアンカーを路肩の水平な地盤面に対しほゞ垂直に打ち込んで設置し、前記防草パネルのアンカー取付け部と保護パネルとの空隙部に自硬性充填材を注入してなる構成としたことを特徴とする路肩部の保護構造。
【考案の詳細な説明】
【技術分野】
【０００１】
本考案は、道路の路肩を保護するとゝもに、路肩における雑草の繁茂を防止するための路肩用防草パネル及びこのパネルを使用した路肩の保護構造に関する。
【背景技術】
【０００２】
従来、道路の路肩は雨水等により経年的に損傷したり、雑草が繁茂してガードレールや視線誘導標が見え難くなるなど通行の安全を脅かす問題が生じていた。このような問題に対処する方法として、従来は路肩の水平な地盤部から路肩の法面にかけて断面「へ」字状のブロックやシートで覆った構造とすることが行われている。
【０００３】
また、特に雑草の繁茂に対する対策では、定期的な除草や除草剤の散布などが行われている。しかしながら、除草作業は人的コストの負担が大きく回数が限られる問題があり、除草剤の散布は環境を汚染する恐れもある。
【０００４】
ブロックやシートで覆った構造とすれば、除草剤の散布による上記のような諸問題に対処できるが、ブロックで覆う構造とする場合でもブロック間の継ぎ目が経年的に浸食されたり、ブロック間の空隙部に土砂が詰まると再び雑草が生えてくる。又、ブロックの上面を流れる雨水などによってブロック直下の法面部が浸食され、長期的には崩壊の畏れが生じる。
【０００５】
さらに、ブロックによる被覆構造では、法面部の傾斜角度がそれぞれ現場によって異なることから、実開昭５９−６９２０８号公報のような水平板体と傾斜板体とを一体化した構造のものでは、現場に応じて法面部の傾斜角度を変えた製品を供給しなければならない問題もある。
【０００６】
そこで、傾斜角度に対し現場で対応できる防草ブロックの提案としては、実開平２―９７４１５号公報のように、水平板体と傾斜板体を接続ピンにより回転自在に連結したブロックあるが、回転部には隙間が生じるためそこから雑草が生えてき易い。
【０００７】
また、特開平７−２６８８３０号公報では、水平板体と傾斜板体を複数の係止部とフック部によって傾斜角度自在に繋ぎ、切込部にモルタル等を充填して雑草が生えることを塞いだ路肩ブロックを提案しているが、延長方向のブロック間の隙間については考慮がなされておらず、全体的に構造が複雑であるといった問題点もある。
【先行技術文献】
【特許文献】
【０００８】
【特許文献１】実開昭５９−６９２０８号公報
【特許文献２】実開平２―９７４１５号公報
【特許文献３】特開平７−２６８８３０号公報
【考案の概要】
【考案が解決しようとする課題】
【０００９】
本考案は、上記のような従来の問題点を解決しようとするもので、路肩の水平な地盤面と法面をそれぞれ被覆する２つの部分を一体化した構造のパネルでありながら、勾配が異なる複数の法面に自由に設置することができるとゝもに、左右の延長方向に敷設されるパネル間にも雑草が生える恐れのない路肩用防草パネル及びこの防草パネルを使用した路肩の保護構造を提供することを目的としたものである。
【課題を解決するための手段】
【００１０】
上記の目的を達成するため、本願の請求項１に係る考案は、路肩の水平な地盤面の一部に設置する水平面からなるアンカー取付け部と、路肩の法面に設置する前記アンカー取付け部と一体の傾斜面からなる斜面被覆部とで構成した防草パネルであって、前記アンカー取付け部の先端部に上面から下面に貫通した逆テーパーのアンカー孔を穿設するとゝもに、前記防草パネルの左右側端部にこの防草パネルと連結するための相欠け継ぎ構造の連結部を、前記斜面被覆部の上面に凹部をそれぞれ形成したことを特徴とする路肩用防草パネルである。
【００１１】
また、上記の目的を達成するため、本願の請求項２に係る考案は、前記アンカー孔の逆テーパー角度が法面の１割勾配から３割勾配に対応する値としたものであって、法面が１割５分勾配の場合の前記水平面からなるアンカー取付け部が、前記水平な地盤面と平行となるように構成したことを特徴とする路肩用防草パネルであり、本願の請求項３に係る考案は、前記アンカー取付け部の先端部に穿設したアンカー孔の上面側の孔周縁に半円又は皿型の凹部を形成したことを特徴とする路肩用防草パネルである。
【００１２】
また、本願の請求項４に係る考案は、前記路肩用防草パネルを路肩の水平な地盤面の一部および法面にそれぞれ配設するとゝもに、該防草パネルの前記アンカー取付け部の先端部上面に、路肩の水平な地盤面を被覆する保護パネルをその一端部で重ね合わせて配設し、該保護パネルの一端部に形成したアンカー孔と前記防草パネルのアンカー孔との共通孔内に、アンカーを路肩の水平な地盤面に対しほゞ垂直に打ち込んで設置するとゝもに、前記防草パネルのアンカー取付け部と保護パネルとの空隙部に自硬性充填材を注入してなる構成としたことを特徴とする路肩部の保護構造である。
【００１３】
更に、請求項５に係る考案は、前記路肩用防草パネルを路肩の水平な地盤面の一部および法面にそれぞれ配設するとゝもに、該防草パネルの前記アンカー孔の上面側の孔周縁に形成した半円又は皿型の凹部と、路肩の水平な地盤面を被覆する保護パネルとをそのアンカー孔の下面側の孔周縁に形成した半円又は皿形の凸部とを嵌め合わせて配設するとゝもに、該保護パネルのアンカー孔と前記防草パネルのアンカー孔との共通孔内にアンカーを路肩の水平な地盤面に対しほゞ垂直に打ち込んで設置し、前記防草パネルのアンカー取付け部と保護パネルとの空隙部に自硬性充填材を注入してなる構成としたことを特徴とする路肩部の保護構造である。
【考案の効果】
【００１４】
本考案の請求項１に係る路肩用防草パネルは、上記のように、路肩の水平な地盤面の一部に設置する水平面からなるアンカー取付け部と、路肩の法面に設置する傾斜面からなる斜面被覆部とを一体化した構造とすることで、路肩の水平な地盤面と法面との間の路肩端に雑草が生えることがない。また、防草パネルの左右側端部にはこの防草パネルと連結するための相欠け継ぎ構造の連結部が形成されており、この連結部で防草パネルを左右に延設する構成としているため、左右の連結部に雑草が生えることがない。更には、防草パネルの前記斜面被覆部の上面に凹部を形成したことでパネル断面を薄くでき、軽量化と材料費の低減が図られ、経済的である。
【００１５】
また、本考案において、前記アンカー取付け部の先端部に上面から下面に貫通した逆テーパーのアンカー孔を形成した構成とすることで、法面の勾配によってアンカー取付け部が水平な地盤面に対し傾いて設置されても、前記アンカー孔の逆テーパー角度の範囲内であればアンカーを水平な地盤面に対して垂直に打ち込むことができ、路肩用防草パネルを路肩に堅牢に固定，設置できる。また、一種類の防草パネルで複数の法面の勾配変化に対応することができるため施工能率が向上するとゝもに、製品の管理も容易となる。
【００１６】
本考案の請求項２に係る路肩用防草パネルは、上記のように、前記アンカー孔の逆テーパー角度が法面の１割勾配から３割勾配に対応する値としたものであって、法面が１割５分勾配の場合に前記水平面からなるアンカー取付け部が前記水平な地盤面と平行となるように構成したことを特徴とするものであるから、法面の勾配が上記の範囲内であれば、アンカー取付け部のアンカー孔内に挿入したアンカーを水平な地盤面に対して垂直に打ち込むことができ、防草パネルを路肩に対して堅牢に設置できる。
【００１７】
また、本考案の請求項３に係る路肩用防草パネルは、上記のように、前記アンカー取付け部の先端部に形成したアンカー孔の上面側の孔周縁に半円又は皿型の凹部を形成した構成とすることで、この路肩用防草パネルのアンカー取付け部に路肩の地盤面を被覆する保護パネルを連結する際に、下面に前記半円又は皿型の凹部と互いに嵌め合わせる半円又は皿型の凸部を形成した保護パネルを使用することで、本考案の防草パネルと保護パネルとの位置決めが容易となり、組立作業の効率化が図られる。
【００１８】
また、本考案の請求項４に係る路肩部の保護構造は、上記のように、前記路肩用防草パネルを路肩の水平な地盤面の一部および法面にそれぞれ配設するとゝもに、該防草パネルの前記アンカー取付け部の先端部上面に、路肩の水平な地盤面を被覆する保護パネルをその一端部で重ね合わせて配設し、該保護パネルの一端部に形成したアンカー孔と前記防草パネルのアンカー孔との共通孔内に、アンカーを路肩の水平な地盤面に対しほゞ垂直に打ち込んで設置するとゝもに、前記防草パネルのアンカー取付け部と保護パネルとの空隙部に自硬性充填材を注入してなる構成としたものである。
【００１９】
これにより、法面の勾配によって、前記防草パネルのアンカー取付け部が路肩の水平な地盤面に対し傾斜した状態で配設されるような場合でも、アンカー取付け部のアンカー孔内に挿入したアンカーを地盤面に対して常時垂直に打ち込むことができ、防草パネルを路肩に対して堅牢に設置できる。また、路肩は防草パネルと保護パネルとで被覆されるとゝもに、保護パネルと防草パネルとの間の空隙部に自硬性充填材を注入してなる構成であるから両者間に空隙が生じることがなく、雑草が生えることはない。
【００２０】
さらに、本願の請求項５に係る考案は、上記のように、前記路肩用防草パネルを路肩の水平な地盤面の一部および法面にそれぞれ配設するとゝもに、該防草パネルの前記アンカー孔の孔周縁に形成した半円又は皿型の凹部と、路肩の水平な地盤面を被覆する保護パネルとをそのアンカー孔の下面側の孔周縁に形成した半円又は皿形の凸部を嵌め合わせて配設するとゝもに、該保護パネルのアンカー孔と前記路肩用防草パネルのアンカー孔との共通孔内にアンカーを路肩の水平な地盤面に対しほゞ垂直に打ち込んで設置し、前記防草パネルのアンカー取付け部と保護パネルとの空隙部に自硬性充填材を注入してなる構成とした。
【００２１】
これにより、防草パネルのアンカー取付け部に路肩の地盤面を被覆する保護パネルの一端部を重ね合わせて連結する際に、前記アンカー取付け部の上面に形成した凹部に、前記保護パネルの下面に形成した凸部を互いに嵌め合わせることで両部材の位置決めがなされる。したがって、組立作業の効率化が図られるとゝもに、アンカー取付け部が傾いた状態で路肩の水平な地盤面に対し配設された場合でも、共通する両アンカー孔内にアンカーを地盤面に対し垂直に打ち込むことができ、防草パネルを保護パネルと一緒に地盤にしっかりと固定できる。
【図面の簡単な説明】
【００２２】
【図１】本考案に係る路肩用防草パネルの斜視図である。
【図２】図１のIIーII線断面図である。
【図３】図２の拡大部分図である。
【図４】横方向の連結部の拡大部分図である。
【図５】路肩用防草パネルの設置状態を示す断面説明図である。
【図６】図５の拡大部分図である。
【図７】同設置状態を示す第１変形例の拡大部分図である。
【図８】同設置状態を示す第２変形例の拡大部分図である。
【図９】本考案に係る他の路肩用防草パネルの設置状態を示す断面説明図である。
【図１０】図９の拡大部分図である。
【考案を実施するための形態】
【００２３】
以下、本考案を図面に示す実施例により詳細に説明する。図１乃至図８において、１は本考案に係る路肩用の防草パネルで、図示の実施例では、板厚が約１００ｍｍとしたコンクリート製のものであり、水平面からなるアンカー取付け部２と、該アンカー取付け部２と所定の角度で一体に連結された傾斜面からなる斜面被覆部３とで構成されている。この斜面被覆部３は、図示の実施例では、横×縦が２０００ｍｍ×１０００ｍｍの横長方形状としたものであって、前記アンカー取付け部２の先端部には上面から下面に貫通した後述する逆テーパーのアンカー孔４が穿設されている。
【００２４】
４は前記アンカー取付け部２に形成したアンカー孔で、このアンカー孔４は前記アンカー取付け部２の上面側の開口４Ａから下面側の開口４Ｂに向け孔径が次第に大きくなるいわゆる逆テーパーの孔形状としたものである。５は前記斜面被覆部３の表面に形成した凹部で、図示の実施例では、その大きさは横×縦が１８００ｍｍ×８００ｍｍの前記斜面被覆部３の輪郭とほゞ相似形とした横長方形状のものであり、前記凹部５の深さが５０ｍｍとしてある。
【００２５】
５Ａは前記凹部５の底面で、該底面５Ａと凹部５の周囲を囲んでいる４つの各周辺７とは、上辺側の下降斜面６Ａ，下辺側の上昇斜面６Ｂおよび左辺側の下降斜面６Ｃ，右辺側の下降斜面６Ｄを介してそれぞれ連続しているが、前記下辺側の上昇斜面６Ｂの傾斜角度は上辺側の下降斜面６Ａの傾斜角度より小さい角度、すなわち、緩やかな上昇傾斜面で形成されている。なお、図中７Ａは前記斜面被覆部３にあってその下辺側の前記額縁状の周辺７に形成したアンカー孔である。
【００２６】
８は前記防草パネル１の左右側端部に形成した連結部で、相欠け継ぎにより構成されたこの連結部８により連結することで、左右方向に延設するように形成されている。すなわち、この連結部８は、図において、防草パネル１の左側端部にあってその下半部に形成した下方突出部８Ａ、右側端部にあってその上半部に形成した上方突出部８Ｂとで構成されており、前記上方・下方の各突出部８Ａ，８Ｂを上下に重ね合わせて連結する相欠け継ぎ構造としたものである。
【００２７】
上記のような構成からなる路肩用の防草パネル１を使用して、道路の路肩Ａを保護する場合には、図５および図６に示すように、路肩Ａの水平な地盤面Ｂに防草パネル１の水平面からなるアンカー取付け部２を、路肩Ａの法面Ｃに傾斜面からなる斜面被覆部３をそれぞれ配設する。図５および図６において、法面Ｃの勾配は１．５割勾配（約３４度）であるから、法面Ｃの傾斜面を斜面被覆部３で被覆した場合、敷きモルタル９で造成された水平な地盤面Ｂの一端部を被覆する前記アンカー取付け部２は、この地盤面Ｂと平行な水平状態に配設される。
【００２８】
水平な地盤面Ｂと平行な水平状態に配設された前記アンカー取付け部２の先端部の上面に、地盤面Ｂを被覆する保護パネル１０をその一端部で重ね合わせて配設し、該保護パネル１０の一端部に形成したアンカー孔１１と前記防草パネル１のアンカー孔４との共通孔内に、アンカー１２を路肩Ａの水平な地盤面Ｂに対しほゞ垂直に打ち込んで防草パネル１一端部を地盤面Ｂに固定するとゝもに、アンカー孔７Ａからアンカー１２Ａを法面Ｃに打ち込んで防草パネル１の他端部を固定することで防草パネル１を路肩Ａに設置する。
【００２９】
詳しくは、アンカー１２は、保護パネル１０のアンカー孔１１を貫通した後、その下に位置するアンカー取付け部２の逆テーパーのアンカー孔４内に挿入されるが、アンカー１２の先端部はアンカー孔４の上面側の開口４Ａと下面側の開口４Ｂの中心部をそれぞれ通り、水平な地盤面Ｂに垂直に打ち込まれる。そして、更に、前記防草パネル１のアンカー取付け部２と保護パネル１０との重ね合わされた箇所の空隙部に例えばモルタル等の自硬性充填材１３を注入することで、施工を完了する。
【００３０】
ここで、法面Ｃを斜面被覆部３で被覆した場合に、敷きモルタル９で造成された水平な地盤面Ｂの一端部を被覆する前記アンカー取付け部２は、法面Ｃの勾配が３割勾配とした図７に示す場合には水平な地盤面Ｂに対して右上がり状態に、同じく１割勾配とした図８に示す場合にあっては右下がり状態にそれぞれ配設される。
【００３１】
本考案に係る路肩用防草パネルは、前記アンカー孔４の逆テーパー角度が法面の１割勾配から３割勾配に対応したものであるから、図７に示す３割勾配の法面の場合に、アンカー１２は、保護パネル１０のアンカー孔１１を貫通した後、その下のアンカー取付け部２のアンカー孔４内に挿入される。そして、アンカー１２は、アンカー孔４内においてその上面側の開口４Ａと下面側の開口４Ｂでは、図中左側の孔壁に最大限に近接した状態でアンカー孔４を貫通し、地盤面Ｂに対し垂直に打ち込まれる。そして、更に、前記防草パネル１のアンカー取付け部２と保護パネル１０の重ね合わせた箇所の空隙部に自硬性充填材１３を注入することで、施工を完了する。
【００３２】
また、図８に示す１割勾配の法面の場合に、アンカー１２は、保護パネル１０のアンカー孔１１を貫通した後、その下のアンカー取付け部２のアンカー孔４に挿入される。そして、アンカー１２は、アンカー孔４内においてその上面側の開口４Ａと下面側の開口４Ｂでは、図中右側の孔壁に最大限に近接した状態でアンカー孔４を貫通し、水平な地盤面Ｂに対して垂直に打ち込まれる。そして、更に、前記防草パネル１のアンカー取付け部２と保護パネル１０の重ね合わた箇所の空隙部に自硬性充填材１３を注入することで、施工を完了する。
【００３３】
以上は、水平な地盤面Ｂを保護パネル１０により被覆する場合について述べたが、地盤面Ｂを掘削してＵ字溝（図示せず）を設置し、該Ｕ字溝の側壁の外周面と防草パネル１のアンカー取付け部２の先端面２Ａとを面接させ、この状態でアンカー孔４内にアンカー１２を水平な地盤面Ｂに対して垂直に打ち込むことで、防草パネル１を路肩Ａに設置するように使用する方法もある。
【００３４】
図９および図１０に示すものは本考案の他の実施例で、以下では前記図１乃至図８に示す路肩用防草パネル１と相違する部分についてのみ詳細に説明し、その他共通する部分については同じ符合を付して詳細な説明を省略する。図において、４はアンカー取付け部２の先端部に穿設した上下方向に貫通している逆テーパーのアンカー孔で、前記アンカー取付け部２の先端部上面にあって、アンカー孔４の孔周縁には半円又は皿型の凹部１４が形成されている。なお、図中１０Ａは保護パネル１０の一端側の下面に形成した前記半円又は皿型の凹部１４と嵌合する断面形状がほゞ同一の凸部である。
【００３５】
上記のような構成からなる防草パネル１Ａと保護パネル１０とによる路肩Ａの保護工法は、上記と同じように、路肩Ａの水平な地盤面Ｂに設置した防草パネル１Ａのアンカー取付け部２にあって、その上面側におけるアンカー孔４の孔周縁に形成した半円又は皿型の凹部１４に、保護パネル１０の一端側の下面にあってアンカー孔１１の下面側の孔周縁に形成した半円又は皿形の凸部１０Ａを嵌め合わせて配設する。
【００３６】
次に、保護パネル１０と防草パネル１Ａの共通した各アンカー孔４，１１内にアンカー１２を水平な地盤面Ｂに対し垂直に打ち込むことで、道路の路肩Ａに保護パネル１０を介してアンカー取付け部２を固定し、法面Ｃに防草パネル１Ａの斜面被覆部３を設置する。そして、前記防草パネル１Ａのアンカー取付け部２と保護パネル１０との空隙部に自硬性充填材１３を注入する。その他の構成は前記図１乃至図８に示す実施例のものは同じである。
【符号の説明】
【００３７】
１・１Ａ  路肩用防草パネル
２  アンカー取付け部
３  斜面被覆部
４  逆テーパーのアンカー孔
４Ａ  上面側の開口
４Ｂ  下面側の開口
５  凹部
５Ａ  底面
７Ａ・１１  アンカー孔
８  連結部
８Ａ  下部突出部
８Ｂ  上部突出部
９  敷きモルタル
１０  保護パネル
１０Ａ  凸部
１２・１２Ａ  アンカー
１３  モルタル
１４  凹部
【図１】
0003165624.tif 000003
【図２】
0003165624.tif 000004
【図３】
0003165624.tif 000005
【図４】
0003165624.tif 000006
【図５】
0003165624.tif 000007
【図６】
0003165624.tif 000008
【図７】
0003165624.tif 000009
【図８】
0003165624.tif 000010
【図９】
0003165624.tif 000011
【図１０】
0003165624.tif 000012